(57)【要約】【課題】  食器かごを充分に引出すことができて、食器の出し入れをしやすくする。【解決手段】  上食器かご（食器かご）５９を洗浄室３１の奥行方向に移動可能に支持する上かご支持部（かご支持部）６０を、洗浄室３１から開口部３２より前方に突出させて設ける。これにより、上食器かご５９を洗浄室３１から開口部３２より前方に充分に引出すことができ、かくして、食器７０を、上食器かご５９の前側はもとより、奥側であっても、洗浄室３１の天井部３１ａに邪魔されることなく、容易に出し入れすることができる。【選択図】  図１
2006204719.tif 000002
【特許請求の範囲】
【請求項１】
内部に洗浄室を有し、その洗浄室で洗浄する食器を出し入れするための開口部を前面側に有する本体と、
この本体に前記開口部を開閉するように設けられた扉と、
前記食器を配列する食器かごを前記洗浄室の奥行方向に移動可能に支持するかご支持部とを具備し、
そのかご支持部を、前記洗浄室から前記開口部より前方に突出させて設けたことを特徴とする食器洗浄機。
【請求項２】
食器かごが、洗浄室に収納された状態で、開口部より前方に突出することを特徴とする請求項１記載の食器洗浄機。
【請求項３】
かご支持部が、洗浄室の天井部に近い側に存在することを特徴とする請求項１記載の食器洗浄機。
【請求項４】
扉が、かご支持部側で裏側の奥行を大きくされていることを特徴とする請求項１記載の食器洗浄機。
【請求項５】
扉が、かご支持部の前端部分の上方側に残らないように開くことを特徴とする請求項１記載の食器洗浄機。
【請求項６】
食器かごが、かご支持部の前端部分から上方側へ回動させて取外されることを特徴とする請求項１記載の食器洗浄機。
【請求項７】
食器かごが、引出し状態で、後端部分をかご支持部の前端部分で支持されることを特徴とする請求項１記載の食器洗浄機。
【請求項８】
食器かごが、引出し状態で、後端部分を開口部の上縁部とほゞ面一に位置させることを特徴とする請求項１記載の食器洗浄機。
【請求項９】
食器かごが、食器を前傾状態に支持することを特徴とする請求項１記載の食器洗浄機。
【発明の詳細な説明】
【技術分野】
【０００１】
本発明は、食器の出し入れ性を良くする改良を施した食器洗浄機に関する。
【背景技術】
【０００２】
従来より、食器洗浄機においては、本体の内部に洗浄室が設けられ、その洗浄室で洗浄する食器を出し入れするための開口部が本体の前面側に設けられている。そして又、本体には、上記開口部を開閉する扉が設けられており、洗浄室には、食器を配列する食器かごを洗浄室の奥行方向に移動可能に支持するかご支持部が設けられている。
【０００３】
図１０及び図１１はその代表的な一例を示しており、本体１の洗浄室２の左右両側面部の下部にレール部３，４が開口部５の縁部までの長さで設けられ、これらに沿って１つの下段の食器かご６が洗浄室２の奥行方向に移動するように設けられている。又、洗浄室２の左右両側面部の上部にはレール部７，８が同じく開口部５の縁部までの長さで設けられ、洗浄室２の上面中央部にレール９が同じく開口部５の縁部までの長さで設けられて、これらに沿って２つの上段の食器かご１０が同じく洗浄室２の奥行方向に移動するように設けられている。
【０００４】
図１２は他の一例を示しており、本体１１の洗浄室１２に通じる開口部１３を開閉する扉１４が、下扉１４ａと上扉１４ｂとに分かれて、水平状態となった下扉１４ａの上に、上扉１４ｂが同じく水平状態となって重なることで開放されるようになっており、そして、その水平状態となった上扉１４ｂの上に食器かご１５が引出されるようになっている。
【特許文献１】特開２００４−２９０５９７号公報
【特許文献２】特開２００４−１０５２７２号公報
【発明の開示】
【発明が解決しようとする課題】
【０００５】
上記従来のものによれば、いずれも、食器かごを充分に引出すことができず、従って、特にそれら食器かごの奥部における食器の出し入れが、洗浄室の天井部に邪魔されてしにくいという欠点を有していた。
【０００６】
本発明は上述の事情に鑑みてなされたものであり、従ってその目的は、食器かごを充分に引出すことができて、食器の出し入れをしやすくできる食器洗浄機を提供するにある。
【課題を解決するための手段】
【０００７】
上記目的を達成するために、本発明の食器洗浄機においては、内部に洗浄室を有し、その洗浄室で洗浄する食器を出し入れするための開口部を前面側に有する本体と、この本体に前記開口部を開閉するように設けられた扉と、前記食器を配列する食器かごを前記洗浄室の奥行方向に移動可能に支持するかご支持部とを具備し、そのかご支持部を、前記洗浄室から前記開口部より前方に突出させて設けたことを特徴とする。
【発明の効果】
【０００８】
上記手段によれば、かご支持部を洗浄室から開口部より前方に突出させて設けたことに応じ、食器かごを洗浄室から開口部より前方に充分に引出すことができ、かくして、食器の出し入れをしやすくすることができる。
【発明を実施するための最良の形態】
【０００９】
以下、本発明の一実施例（第１の実施形態）につき、図１ないし図９を参照して説明する。
まず、図２には、本体２１と、これの前面側に設けた扉２２を示している。このうち、扉２２は、下扉２３と上扉２４から成っており、その下扉２３の前面部のほゞ中央に、食器洗浄機の運転について必要な操作をするための操作パネル２５を設けている。又、上扉２４の前面部のやゝ上方寄りの部位には、扉閉鎖操作部である手懸部２６例えば横長状の凹部で設け、その左右の両側方に、もっぱら乾燥時の排気をする排気口２７を設けている。加えて、上扉２４の前面部の上記手懸部２６及び排気口２７より下位には、扉ロック解除部材である押釦２８を設けている。
【００１０】
一方、本体２１は、外箱２９を外殻とし、これの内部に図１に示す内箱３０を配設して、該内箱３０の内部を洗浄室３１としている。この洗浄室３１は、前面側が開口（開口部３２）しており、その開口部３２は、下半部がほゞ真直ぐに前方を指向しているのに対して、上半部は斜め上方を指向している。
洗浄室３１内には、図示しない噴水体やヒータ等を配設しており、洗浄室３１外（本体２１内）に同じく図示しない給水弁や水位検知装置、洗浄ポンプ、排水ポンプ、及び送風機等を配設して、これらの洗浄手段及び乾燥手段により、後述する食器の洗浄及び乾燥の運転を行うようになっている。
【００１１】
そして、図３に示すように、下扉２３は、下端部の左右両側を、支軸３３によって本体２１に上下回動可能に取付け支持している。又、上扉２４には、左右の両側面部の外側に、ガイド部としての溝３４を形成している。この溝３４は、詳細には、扉２２の閉鎖状態で、上扉２４の左右両側面部の前側を上部から下部へ垂直状に延び、そして、下端側３４ａにおいては前側から後下がりに傾斜して延びる形態に形成しており、その傾斜角度は垂直線に対して６０度以下、特には４０度としている。
【００１２】
又、その溝３４の下端側３４ａの傾斜に合わせて、下扉２３と上扉２４との分割面３５（下扉２３の上端面、上扉２４の下端面）も、後下がりに傾斜させており、その傾斜は溝３４の下端側３４ａの傾斜にほゞ沿い、もしくはそれより角度を小さくしている。
又、溝３４の下端側３４ａの延びの関係上、上扉２４の左右両側面部の下端側は、下扉２３よりも本体２１側に突出する突出部３６としている。すなわち、上扉２４は、溝３４の下端側３４ａを突出部３６に有している。
【００１３】
これに対して、下扉２３には、左右両側壁の上部の外側に係合部材として張出部３７を形成し、これにより上扉２４を挟むようにしている。又、この張出部３７の後部内側には、係合部として突起３８を形成しており、この突起３８を、上述の溝３４に嵌入させて係合させ、溝３４がこの突起３８を沿わせて移動するスライド構造にて、下扉２３に上扉２４をスライド可能に結合している。
【００１４】
上扉２４の前記突出部３６の後下方には、支持部材３９を取付けており、この支持部材３９には、内側に図４に示す突起４０を係合部として設け、この突起４０を、本体２１（内箱３０の外側面部）に上下に延びるように形成したガイド部である溝４１に係合させ、ひいては支持部材３９を本体２１に上下移動可能に取付け、かくして、上扉２４を本体２１に上下移動可能に取付け支持している。
【００１５】
又、支持部材３９には、連結部材４２の一端部を上記突起４０の外側で連結ピン４３によって上下回動可能に連結しており、連結部材４２の他端部は、図３に示すように、下扉２３の下部の後側に延設した連結部４４の基部に連結ピン４５によって上下回動可能に連結している。
【００１６】
連結部４４の先端部と本体２１との間には、引張コイルスプリング４６を張架しており、他方、支持部材３９の先端部と本体２１との間にはダンパ機構４７を架設し、更に、そのダンパ機構４７の固定側（本体２１側）と可動側（支持部材３９側）との間には、引張コイルスプリング４８を張架している。
上記引張コイルスプリング４６，４８は、下扉２３と上扉２４とを閉鎖方向に付勢する付勢部材であり、それらの付勢力よりも、上扉２４と下扉２３のそれぞれ自重による開放方向のモーメントが勝るようにしている。
【００１７】
そして又、上扉２４には、ラッチ４９を裏側から後方へ突出するように設けている。このラッチ４９は、上扉２４の上下の中間部に位置するもので、詳しくは図示しないが、左右の両側に設けており、その両者が、本体２１に図５にも示すように形成した孔５０を通ってその下側に係合するもので、すなわち、本体２１の孔５０の下側がラッチ４９が係合する係止部５１となっている。
更に、ラッチ４９は、上扉２４に内設した連軸（図示せず）の両端に設けており、その連軸を前記押釦２８が押圧操作されることで回転させるようにし、それによって、上記係止部５１に対するラッチ４９の係合が解除されるようにしている。
【００１８】
加えて、本体２１の係止部５１後方の位置には、レバー５２を支軸５３によって枢支しており、更にその後方にスイッチ５４を配設していて、係止部５１に係合するラッチ４９により、レバー５２が前側の一端部を押し下げられて、下側の他端部によりスイッチ５４を操作し、それによって、食器洗浄機の運転が実行できるようにしている。従って、それらレバー５２、スイッチ５４は、上扉２４の開閉、ひいては扉２２の開閉に応動するドアスイッチとして機能し、更には扉開閉検知手段として機能するようになっている。
【００１９】
又、本体２１には、前部の中間部に前方に開放する凹部５５を形成しており、この凹部５５に前記上扉２４の突出部３６が嵌入するようにしている。従って、凹部５５は上扉２４の一部が嵌入する嵌入部であり、その嵌入がしやすいように、凹部５５は後方に向かって先細状に形成している。なお、それらに合わせて、張出部３７も、同形状に形成している。
更に、本体２１には、前記上扉２４の支持部材３９が通る開口部５６をスリット状に形成しており、この開口部５６を、上扉２４（扉２２）の開放状態では、図６に示すように、支持部材３９が閉塞するようにしている。
【００２０】
しかして、前記洗浄室３１には、図１に示すように、食器かごの１つである下食器かご５７を支持するかご支持部として下かご支持部５８を設けると共に、食器かごの他の１つである上食器かご５９を支持するかご支持部として上かご支持部６０を設けている。このうち、下かご支持部５８は、例えば洗浄室３１の左右両側部の下部に形成した段部にて、洗浄室３１の奥部近くから前記開口部３２の縁部までの長さで設けており、これに下食器かご５７の左右両側部の下縁部を洗浄室３１の奥行方向に移動可能に載置している。
従って、下食器かご５７は、下かご支持部５８に沿って移動されることにより、洗浄室３１に対して出し入れされるようになっている。
【００２１】
これに対して、上かご支持部６０は、図７及び図８にも示すように、洗浄室３１の左右両側部の上部にそれぞれ複数のねじ６１によって取付けた別部材にて、洗浄室３１の天井部３１ａに近い側に位置しており、洗浄室３１の奥行方向に長く、前端部分６０ａが開口部３２よりも前方に突出している。これに対して、扉２２は、図３及び図９に示すように、上かご支持部６０側である上扉２４、中でもその上部で、裏側の奥行Ｄを大きくしている。
【００２２】
又、上かご支持部６０は、洗浄室３１の中央に向かって開放する溝６２を有していて、この溝６２の下面をレール面６３としている。更に、上かご支持部６０の、上記開口部３２よりも前方に突出した部分に近い溝６２の最前部には、ストッパ６４を形成し、その下方に、溝６２の前部から更にストッパ６４の下方を経て前上方に開通する通路６５を形成する凹部６６を設けている。
【００２３】
そして、それに対し、上食器かご５９は、左右両側部の下縁部に被載置部としてフランジ部６７を有しており、このフランジ部６７の最後部には被係止部６８を形成していて、この被係止部６８からフランジ部６７を、上記上かご支持部６０の通路６５から溝６２に挿入してレール面６３に載置することにより、上食器かご５９を上かご支持部６０にて洗浄室３１の奥行方向に移動可能に支持している。
【００２４】
そのほか、上食器かご５９は、内部に多数の突起６９を食器支えとして有し、この突起６９により、図１のほか、図６及び図９に示すように、食器７０（この場合、湯呑茶碗やコップなど）を前傾状態に支持して配列するようにしている。
又、図１及び図９には、下食器かご５７に配列した食器７１（この場合、大小に大きさの異なる皿など）を示している。
【００２５】
さて、上記構成のものの場合、食器を洗浄するに当たっては、まず、扉２２を開けて洗浄室３１から下食器かご５７及び上食器かご５９を引出す必要がある。ここで、扉２２が図２及び図３に示す閉鎖状態にあるとして、この状態から、使用者が押釦２８を押圧操作すると、ラッチ４９が本体２１の係止部５１との係合を解除されると共に、ラッチ４９によるレバー５２の前側の一端部の押し下げが解除されて、該レバー５２の下側の他端部によるスイッチ５４の操作が解除されるので、食器洗浄機の運転が実行できない状態となる。
【００２６】
又、それと同時に、本体２１に扉２２との間で扉２２の閉鎖状態を密に封じるべく設けられたシール部材（図示せず）の反発力と、上扉２４及び下扉２３の自重による開放方向のモーメントとにより、上扉２４が、自動的に、溝３４を下扉２３の張出部３７が有した突起３８に沿わせて下方へ移動させることにより、下扉２３に対して下方へスライドする。このとき、溝３４の下端側３４ａが後下がりに傾斜していることで、上扉２４のスライド、特には上扉２４が下扉２３と面一となった状況から下扉２３に重なるときのスライドは円滑に行われる。
【００２７】
又、それには、下扉２３と上扉２４の分割面３５の傾斜を溝３４の下端側３４ａの傾斜にほゞ沿わせたことや、分割面３５の傾斜角度を溝３４の下端側３４ａの傾斜角度より小さくしたこと、並びに溝３４の下端側３４ａの傾斜角度を垂直線に対して６０度以下としたことも更に有効で、それらにより、上扉２４のスライドは円滑に行われる。
【００２８】
そして、それと共に、図５に示すように、下扉２３が支軸３３を中心に前下方へ回動し、最終的に、図６に示すように、上扉２４及び下扉２３がともに伏せた水平状態となって内面部を上に向け、下扉２３の上に上扉２４が重ね置かれて開口部３２を開放した状態となる。従って、扉２２は、上かご支持部６０の前端部分６０ａの上方側に上扉２４及び下扉２３のいずれもが残らないように開く。
【００２９】
又、このときの上扉２４及び下扉２３の開放は、それら上扉２４及び下扉２３の自重が引張コイルスプリング４６，４８の付勢力に抗することで、最初はゆっくりであるが、徐々に加速度を増して速くなろうとする。それに、ダンパ機構４７が対抗して制動し、よって、上扉２４及び下扉２３の開放は最初から全開位置までの全部を通じてゆっくり行われる。
又、上扉２４の支持部材３９の突起４０は、途中まで溝４１の最上部の位置にあって上扉２４の回動支点として機能し、最終的には溝４１の最下部まで下降する。
【００３０】
しかして、この状態から、下食器かご５７及び上食器かご５９を引出す。図９は、そのうちの下食器かご５７を引出した状態を示しており、使用者にて洗浄室３１から前方に引かれた下食器かご５７は、下かご支持部５８上をスライドして前方へ移動され、水平状態の上扉２４の上に引出される。従って、この状態で、下食器かご５７には食器７１を配列すれば良い。
【００３１】
一方、図１は、上食器かご５９を引出した状態を示しており、同じく使用者にて洗浄室３１から前方に引かれた上食器かご５９は、フランジ部６７が上かご支持部６０のレール面６３上をスライドして前方へ移動され、被係止部６８がストッパ６４に係止されたところで、その移動（引出し）が停止される。このとき、上かご支持部６０は、洗浄室３１から開口部３２より前方に突出させて設けており、それに応じ、上食器かご５９を洗浄室３１から開口部３２より前方に充分に引出すことができる。
【００３２】
又、その上食器かご５９の引出し状態で、上食器かご５９は、後端部分５９ａを上かご支持部６０の前端部分６０ａで支持される。更に、上食器かご５９の引出し状態で、上食器かご５９は、後端部分５９ａ、特にはその内面部を、図１に一点鎖線で示すように、本体２１の開口部３２の上縁部とほゞ面一に位置させる。従って、この状態で、上食器かご５９には食器７０を配列すれば良い。
【００３３】
なお、上食器かご５９を取出すには、上食器かご５９を上述のごとく引出した上で、図７に示すように、上かご支持部６０の前端部分６０ａから上方側へ回動させる。すると、フランジ部６７から被係止部６８が上食器かご５９の通路６５を通って抜き外されることにより、上食器かご５９を取出すことができる。
【００３４】
下食器かご５７及び上食器かご５９にそれぞれ食器７０，７１を配列した後には、下食器かご５７及び上食器かご５９をそれぞれ洗浄室３１へ押し込む。すると、下食器かご５７は、下かご支持部５８上をスライドして後方へ移動され、洗浄室３１に収納される。又、上食器かご５９は、フランジ部６７が上かご支持部６０のレール面６３上をスライドして後方へ移動され、洗浄室３１に収納される。但し、その収納状態で、上食器かご５９の前部５９ｂは、図６及び図９に示すように、本体２１の開口部３２より前方に突出するようにしている。
【００３５】
この後、扉２２を閉鎖させるには、使用者が手を上扉２４の手懸部２６に懸けて、上扉２４を引き上げる。すると、下扉２３も引き上げられて上述とは逆に支軸３３を中心に後上方へ回動し、それに伴い、上扉２４が溝３４を下扉２３の張出部３７が有した突起３８に沿わせて上方へ移動させることにより、下扉２３に対して上方へスライドし、最終的に、図３に示したように、上扉２４及び下扉２３がともに垂直状態となって内面部を後方に向け、下扉２３の上に上扉２４が連なって開口部３２を閉鎖した状態となる。
【００３６】
又、このときにも、溝３４の下端側３４ａが後下がりに傾斜していることや、下扉２３と上扉２４の分割面３５の傾斜を溝３４の下端側３４ａの傾斜にほゞ沿わせたこと、分割面３５の傾斜角度を溝３４の下端側３４ａの傾斜角度より小さくしたこと、並びに溝３４の下端側３４ａの傾斜角度を垂直線に対して６０度以下としたことで、上扉２４のスライド、特には下扉２３の上に上扉２４が連なって面一となるときのスライドは、やはり円滑に行われる。
【００３７】
更に、この間、引張コイルスプリング４６，４８やダンパ機構４７及び上扉２４の支持部材３９の突起４０は、図６から図５、図１に示すように（開放時とは逆）変化する。更に、ラッチ４９が係止部５１に係合し、扉２２を閉鎖状態にロックすると共に、レバー５２がラッチ４９により前側の一端部を押し下げられて、下側の他端部によりスイッチ５４を操作し、食器洗浄機の運転が実行できるようになるから、その後、操作パネル２５を操作して食器洗浄機の運転を開始させれば良い。
【００３８】
このように本構成のものでは、上食器かご５９を洗浄室３１の奥行方向に移動可能に支持する上かご支持部６０を、洗浄室３１から開口部３２より前方に突出させて設けている。これにより、上食器かご５９を洗浄室３１から開口部３２より前方に充分に引出すことができ、かくして、食器７０を、上食器かご５９の前側はもとより、奥側であっても、洗浄室３１の天井部３１ａに邪魔されることなく、容易に出し入れすることができる。
【００３９】
又、このように上食器かご５９に対する食器７０の出し入れが容易にできることから、上食器かご５９における食器７０の配列も整然とできるようになり、食器７０同士の重なりによる洗浄不良、乾燥不良を生じないなど、洗浄乾燥効果を上げることができる。更に、洗浄室３１の奥行の割りに、上かご支持部６０を洗浄室３１の奥行方向に長くできるので、洗浄室３１に収納した状態での上食器かご５９の支持安定度を高く得ることができる。
【００４０】
加えて、特に上記構成のものの場合、上食器かご５９は、洗浄室３１に収納された状態でも、開口部３２より前方に突出するようにしており、これによって、使用者は上食器かご５９の収納状態で、該上食器かご５９の奥部までを見渡すことができて、食器が正常にセットされているかその配列状態を確認することが容易にできる。更に、この場合、前方に配列された食器７０は、上食器かご５９を引出すまでもなく出し入れすることができる。
【００４１】
又、上かご支持部６０は洗浄室３１の天井部３１ａに近い側に存在するものであり、すなわち、上食器かご５９に対する食器７０の出し入れが、洗浄室３１の天井部３１ａに邪魔され勝ちで、しにくいところに存在するものである。その条件下で、上かご支持部６０を洗浄室３１から開口部３２より前方に突出させて設けて、上食器かご５９に対する食器７０の出し入れが容易にできるようにしているので、その価値を一層高く得ることができる。
【００４２】
又、扉２２は上かご支持部６０側で裏側の奥行Ｄを大きくしている。これにより、上かご支持部６０並びに上食器かご５９の、それぞれ洗浄室３１から開口部３２より前方への突出量をより大きく確保できるので、上食器かご５９に対する食器７０の出し入れを一層容易にでき、且つ、上食器かご５９に、より多くの、又、より大きな食器７０を収容できるようになる。
更に、扉２２は上かご支持部６０の前端部分６０ａの上方側に残らないように開くようにしており、これによって、上食器かご５９に対する食器７０の出し入れを、開放した扉２２に邪魔されることもなく、一層容易にできる。
【００４３】
又、上食器かご５９は上かご支持部６０の前端部分６０ａから上方側へ回動させて取外されるようにしており、上かご支持部６０は洗浄室３１から開口部３２より前方に突出させているから、それに合わせて、上食器かご５９を上かご支持部６０の前端部分から上方側へ回動させて取外されるようにすることにより、上かご支持部６０からの上食器かご５９の取外しを容易に行うことができる。なお、上食器かご５９の取外しは、上食器かご５９自体の掃除や、洗浄室３１並びに該洗浄室３１内の噴水体やヒータなど洗浄機構の掃除のために必要なことである。
【００４４】
又、上食器かご５９は、引出し状態で、後端部分５９ａを上かご支持部６０の前端部分６０ａで支持されるようにしており、これによっても、上かご支持部６０並びに上食器かご５９の、それぞれ洗浄室３１から開口部３２より前方への突出量をより大きく確保できるので、上食器かご５９に対する食器７０の出し入れを一層容易にでき、且つ、上食器かご５９に、より多くの、又、より大きな食器７０を収容できるようになる。
【００４５】
又、上食器かご５９は、引出し状態で、後端部分５９ａを本体２１の開口部３２の上縁部とほぼ面一に位置させるものであり、これによって、上食器かご５９に対する食器７０の出し入れが、洗浄室３１の天井部３１ａに一層邪魔されることなくできるようになる。
そして、上食器かご５９は食器７０を前傾状態に支持するものであり、上かご支持部６０を洗浄室３１から開口部３２より前方に突出させたことなどと合わせて、それによっても、上食器かご５９に対する食器７０の前方からの出し入れを容易にできる。
【００４６】
なお、食器かごは、上下の２段に限られず、３段以上に設けても良いし、あるいは１段だけ設けられていても良い。又、扉も、上下の２枚に限られず、３枚以上設けても良いし、あるいは１枚で下縁部を中心に下方へ回動して開放するようなものであっても良い。
そのほか、本発明は上記し且つ図面に示した実施例にのみ限定されるものではなく、要旨を逸脱しない範囲内で適宜変更して実施し得る。
【図面の簡単な説明】
【００４７】
【図１】本発明の一実施例を上食器かご引出し状態で示す破断側面図
【図２】外観斜視図
【図３】扉閉鎖状態で示す破断側面図
【図４】図３のＡ−Ａ線に沿う部分拡大断面図
【図５】扉開放途中（閉鎖途中）状態で示す破断側面図
【図６】扉開放状態で示す破断側面図
【図７】主要部分を上かご取付け途中（取外し途中）状態で示す縦断側面図
【図８】一部を省略した主要部分の分解斜視図
【図９】下食器かご引出し状態で示す破断側面図
【図１０】従来例を扉除去状態で示す正面図
【図１１】同状態の部分斜視図
【図１２】異なる従来例を示す縦断側面図
【符号の説明】
【００４８】
図面中、２１は本体、２２は扉、３１は洗浄室、３１ａは洗浄室の天井部、３２は開口部、５９は上食器かご（食器かご）、５９ａは上食器かごの後端部分、６０は上かご支持部（かご支持部）、６０ａは上かご支持部の前端部分、６４はストッパ、６５は通路、６８は被係止部、６９は突起（食器支え）、７０は食器を示す。
【図１】
2006204719.tif 000003
【図２】
2006204719.tif 000004
【図３】
2006204719.tif 000005
【図４】
2006204719.tif 000006
【図５】
2006204719.tif 000007
【図６】
2006204719.tif 000008
【図７】
2006204719.tif 000009
【図８】
2006204719.tif 000010
【図９】
2006204719.tif 000011
【図１０】
2006204719.tif 000012
【図１１】
2006204719.tif 000013
【図１２】
2006204719.tif 000014